(57)【要約】【課題】船体の周囲に発生するＵＥＰを低減することにより、船舶の航行の安全性を高めることが可能なＵＥＰ低減方法及び装置を提供する。【解決手段】第１及び第２の電極１０,１１は、船舶７０の船底に取り付けられている。第１の電極１０は犠牲陽極２０の近傍にあり、第２の電極１１はプロペラ７１(腐食電流の流入箇所)の近傍にある。電源１４は、第１及び第２の電極１０,１１を接続する経路に設けられる。ここで、第１の電極１０を陰極(低電位)とし、第２の電極１１を陽極(高電位)とする。これにより、第２の電極１１から第１の電極１０に向かって電流を流し、矢印９１のように第２のＵＥＰを発生させる。【選択図】図１
2011088542.tif 000002
【特許請求の範囲】
【請求項１】
船体の発生するＵＥＰ(Underwater Electric Potential)を低減する方法であって、前記船体のうち海水に浸漬される部分に配置された第１及び第２の電極間に電流を流すことにより、前記船体の周囲のＵＥＰを低減することを特徴とする、船舶のＵＥＰ低減方法。
【請求項２】
船体の発生するＵＥＰ(Underwater Electric Potential)を低減する装置であって、
前記船体のうち海水に浸漬される部分に配置された第１及び第２の電極と、
前記第１及び第２の電極を接続する経路に設けられた電源とを備え、
前記第１及び第２の電極間に流れる電流によって、前記船体の周囲のＵＥＰを低減することを特徴とする、船舶のＵＥＰ低減装置。
【請求項３】
船体の発生するＵＥＰ(Underwater Electric Potential)を低減する装置であって、
前記船体は、海水に浸漬される部分に配置された犠牲陽極と、前記犠牲陽極から腐食電流が流入する陰極部とを有し、
本装置は、前記船体のうち海水に浸漬される部分に配置された第１及び第２の電極と、前記第１及び第２の電極を接続する経路に設けられた電源とを備え、
前記第１の電極は前記犠牲陽極の近傍にあり、前記第２の電極は前記陰極部の近傍にあり、前記第１の電極を陰極とし、前記第２の電極を陽極としていることを特徴とする、船舶のＵＥＰ低減装置。
【請求項４】
船体の発生するＵＥＰ(Underwater Electric Potential)を低減する装置であって、
前記船体は、外部電源方式で前記船体の腐食を防止するために設けられた不溶性電極を有し、
本装置は、前記船体のうち海水に浸漬される部分に配置された第１及び第２の電極と、前記第１及び第２の電極を接続する経路に設けられた電源とを備え、
前記第１の電極は前記不溶性電極の近傍にあり、前記第１及び第２の電極間に流れる電流によって、前記船体の周囲のＵＥＰを低減することを特徴とする、船舶のＵＥＰ低減装置。
【請求項５】
請求項２から４のいずれかに記載のＵＥＰ低減装置において、前記第１及び第２の電極が、不溶性電極であることを特徴とする、船舶のＵＥＰ低減装置。
【請求項６】
請求項２から５のいずれかに記載のＵＥＰ低減装置において、
前記船体のうち海水に浸漬される部分に配置されたＵＥＰセンサと、
前記ＵＥＰセンサによる検出結果に基づいて、前記電源からの供給電圧又は供給電流を制御する監視部とをさらに備えることを特徴とする、船舶のＵＥＰ低減装置。
【請求項７】
請求項６に記載のＵＥＰ低減装置において、前記ＵＥＰセンサにより得られたＵＥＰ分布を表示する表示部をさらに備えることを特徴とする、船舶のＵＥＰ低減装置。
【請求項８】
請求項６又は７に記載のＵＥＰ低減装置において、前記監視部は、前記船体の状態及び海中環境をパラメータとし、電気映像法を用いて、前記船体の周囲のＵＥＰを低減するように前記供給電圧又は前記供給電流を制御することを特徴とする、船舶のＵＥＰ低減装置。
【請求項９】
請求項６又は７に記載のＵＥＰ低減装置において、前記監視部は、前記船体の状態及び海中環境をパラメータとし、境界要素法を用いて、前記船体の周囲のＵＥＰを低減するように前記供給電圧又は前記供給電流を制御することを特徴とする、船舶のＵＥＰ低減装置。
【請求項１０】
請求項６又は７に記載のＵＥＰ低減装置において、前記監視部は、前記船体の状態及び海中環境をパラメータとし、有限要素法を用いて、前記船体の周囲のＵＥＰを低減するように前記供給電圧又は前記供給電流を制御することを特徴とする、船舶のＵＥＰ低減装置。
【発明の詳細な説明】
【技術分野】
【０００１】
本発明は、水上艦艇や潜水艦等の船体の周囲に発生するＵＥＰ(Underwater Electric Potential)を低減する、船舶のＵＥＰ低減方法及び装置に関する。
【背景技術】
【０００２】
電解溶液中にイオン化傾向の異なる２つの金属が存在すると、当該２つの金属間に電位差が生じ、水中電界が発生する。これを船舶について見ると、船体(例えば鋼)とプロペラ(例えば銅)とが海水中(すなわち電解溶液中)に存在するため、船体とプロペラとの間に電位差が生じ、水中電界が発生する。この電位差又は水中電界を一般にＵＥＰという。
【０００３】
イオン化傾向の大きい船体の金属は陽イオンとなって海水中に溶け出すため、船体の金属は腐食する。この腐食を防止するための対策として、流電陽極方式又は外部電源方式といったカソード防食が従来から知られている。流電陽極方式は、船体の金属(例えば鋼)よりも卑となる金属(イオン化傾向の大きな金属、例えば亜鉛)を犠牲陽極として船体に装着することにより、船体の腐食を防止する方式である。外部電源方式は、船底に取り付けた不溶性陽極(例えば白金陽極)から強制的に電流を流し、船体電位を一定に保つことにより、船体の腐食を防止する方式である。いずれの方式でも、海水中にＵＥＰが発生する。
【０００４】
下記特許文献１は、ＵＥＰの低減を目的とし、「複数の犠牲陽極のうちの少なくとも１つの犠牲陽極に対して少なくとも１つの陰極を近接して配置してなる」ＵＥＰの低減法を提案している。
【先行技術文献】
【特許文献】
【０００５】
【特許文献１】特開２００７−７６４９５号公報
【発明の概要】
【発明が解決しようとする課題】
【０００６】
ＵＥＰに感応する機雷が設置されていたりＵＥＰに感応する魚雷による攻撃を受ける可能性のある危険海域を船舶が通過するとき、船体の周囲に発生するＵＥＰが大きいと触雷を回避するのが難しく、航行の安全性が低いという問題がある。上記特許文献１の方法は、ＵＥＰの低減に一定の効果はあるとしても、十分な効果を得るのが難しく、改善の余地がある。
【０００７】
本発明はこうした状況を認識してなされたものであり、その目的は、船体の周囲に発生するＵＥＰを低減し、船舶の航行の安全性を高めることが可能な、船舶のＵＥＰ低減方法及び装置を提供することにある。
【課題を解決するための手段】
【０００８】
本発明の第１の態様は、ＵＥＰ低減方法である。この方法は、船体の発生するＵＥＰを低減する方法であって、前記船体のうち海水に浸漬される部分に配置された第１及び第２の電極間に電流を流すことにより、前記船体の周囲のＵＥＰを低減することを特徴としている。
【０００９】
本発明の第２の態様は、ＵＥＰ低減装置である。この装置は、
船体の発生するＵＥＰを低減する装置であって、
前記船体のうち海水に浸漬される部分に配置された第１及び第２の電極と、
前記第１及び第２の電極を接続する経路に設けられた電源とを備え、
前記第１及び第２の電極間に流れる電流によって、前記船体の周囲のＵＥＰを低減することを特徴としている。
【００１０】
本発明の第３の態様は、ＵＥＰ低減装置である。この装置は、
船体の発生するＵＥＰを低減する装置であって、
前記船体は、海水に浸漬される部分に配置された犠牲陽極と、前記犠牲陽極から腐食電流が流入する陰極部とを有し、
本装置は、前記船体のうち海水に浸漬される部分に配置された第１及び第２の電極と、前記第１及び第２の電極を接続する経路に設けられた電源とを備え、
前記第１の電極は前記犠牲陽極の近傍にあり、前記第２の電極は前記陰極部の近傍にあり、前記第１の電極を陰極とし、前記第２の電極を陽極としていることを特徴としている。
【００１１】
本発明の第４の態様は、ＵＥＰ低減装置である。この装置は、
船体の発生するＵＥＰを低減する装置であって、
前記船体は、外部電源方式で前記船体の腐食を防止するために設けられた不溶性電極を有し、
本装置は、前記船体のうち海水に浸漬される部分に配置された第１及び第２の電極と、前記第１及び第２の電極を接続する経路に設けられた電源とを備え、
前記第１の電極は前記不溶性電極の近傍にあり、前記第１及び第２の電極間に流れる電流によって、前記船体の周囲のＵＥＰを低減することを特徴としている。
【００１２】
第２から４の態様のＵＥＰ低減装置において、前記第１及び第２の電極が、不溶性電極であるとよい。
【００１３】
第２から４の態様のＵＥＰ低減装置において、
前記船体のうち海水に浸漬される部分に配置されたＵＥＰセンサと、
前記ＵＥＰセンサによる検出結果に基づいて、前記電源からの供給電圧又は供給電流を制御する監視部とをさらに備えるとよい。
【００１４】
また、前記ＵＥＰセンサにより得られたＵＥＰ分布を表示する表示部をさらに備えるとよい。
【００１５】
また、前記監視部は、前記船体の状態及び海中環境をパラメータとし、電気映像法を用いて、前記船体の周囲のＵＥＰを低減するように前記供給電圧又は前記供給電流を制御するとよい。
【００１６】
あるいは、前記監視部は、前記船体の状態及び海中環境をパラメータとし、境界要素法を用いて、前記船体の周囲のＵＥＰを低減するように前記供給電圧又は前記供給電流を制御するとよい。
【００１７】
あるいは、前記監視部は、前記船体の状態及び海中環境をパラメータとし、有限要素法を用いて、前記船体の周囲のＵＥＰを低減するように前記供給電圧又は前記供給電流を制御するとよい。
【００１８】
なお、以上の構成要素の任意の組合せ、本発明の表現を方法やシステムなどの間で変換したものもまた、本発明の態様として有効である。
【発明の効果】
【００１９】
本発明によれば、船体の周囲に発生するＵＥＰを低減し、船舶の航行の安全性を高めることが可能となる。
【図面の簡単な説明】
【００２０】
【図１】本発明の第１の実施の形態に係る船舶のＵＥＰ低減装置の模式的側面図。
【図２】本発明の第２の実施の形態に係る船舶のＵＥＰ低減装置の模式的側面図。
【図３】本発明の第３の実施の形態に係る船舶のＵＥＰ低減装置の模式的底面図。
【図４】本発明の第４の実施の形態に係る船舶のＵＥＰ低減装置の模式的側面図。
【発明を実施するための形態】
【００２１】
以下、図面を参照しながら本発明の好適な実施の形態を詳述する。なお、各図面に示される同一または同等の構成要素、部材等には同一の符号を付し、適宜重複した説明は省略する。また、実施の形態は発明を限定するものではなく例示であり、実施の形態に記述されるすべての特徴やその組み合わせは必ずしも発明の本質的なものであるとは限らない。
【００２２】
(第１の実施の形態)
図１は、本発明の第１の実施の形態に係る船舶のＵＥＰ低減装置の模式的側面図である。このＵＥＰ低減装置は、船舶７０に取り付けられる。本実施の形態では、船舶７０には、流電陽極方式で船体の腐食を防止するための犠牲陽極２０(船体の金属よりも卑となる金属)が船底(船体のうち海水８０に浸漬される部分の例示)に取り付けられている。船体は例えば鋼であり、犠牲陽極２０は例えば亜鉛である。海水８０を媒介として船底の金属が腐食しないように、腐食電流が犠牲陽極２０から発生し、それがプロペラ７１(船体よりも貴となる金属)に流入する。プロペラ７１は、陰極部の例示であり、例えば銅である。このとき、ＵＥＰは矢印９０のように発生する。ＵＥＰ低減装置は、この矢印９０のように発生しているＵＥＰ(以下、本実施の形態で「第１のＵＥＰ」とも表記)に対して逆モーメント(逆電界)となるＵＥＰ(以下、本実施の形態で「第２のＵＥＰ」とも表記)を発生させて、船舶７０の周囲のＵＥＰを低減するものである。
【００２３】
ＵＥＰ低減装置は、第１及び第２の電極１０,１１と、電源１４とを備える。第１及び第２の電極１０,１１は、好ましくは白金等の不溶性電極であり、船舶７０の船底(船体のうち海水８０に浸漬される部分の例示)に取り付けられている。第１の電極１０は犠牲陽極２０の近傍にあり、第２の電極１１はプロペラ７１(腐食電流の流入箇所)の近傍にある。電源１４は、第１及び第２の電極１０,１１を接続する経路に設けられる。ここで、第１の電極１０を陰極(低電位：例えば船体と同電位)とし、第２の電極１１を陽極(高電位)とする。これにより、第２の電極１１から第１の電極１０に向かって電流を流し、矢印９１のように第２のＵＥＰを発生させる。
【００２４】
この結果、第１及び第２のＵＥＰが相殺し、流電陽極方式の船舶７０の周囲のＵＥＰを低減することができる。それゆえ、ＵＥＰに感応する機雷等の設置された危険海域を船舶７０が触雷せずに安全に通過可能となることが期待される。
【００２５】
(第２の実施の形態)
図２は、本発明の第２の実施の形態に係る船舶のＵＥＰ低減装置の模式的側面図である。本実施の形態では、船舶７０には、外部電源方式で船体の腐食を防止するための不溶性陽極２４及び不溶性陰極２５が船底(船体のうち海水８０に浸漬される部分の例示)に取り付けられている。不溶性陽極２４は、ここでは船底の前方側にあり、船底からは絶縁されている。すなわち、不溶性陽極２４は、船底に直接接触しておらず、海水８０を介して船底と電気的に接続されている。不溶性陰極２５は、ここでは船底の後方側にあり、船底と直接導通している。海水８０を媒介として船底の金属が腐食しないように、不溶性陽極２４から不溶性陰極２５に強制的に電流を流すことにより船体電位を一定に保つ。この結果、船底の金属の腐食は防止されるものの、ＵＥＰが矢印９２のように発生する。ＵＥＰ低減装置は、この矢印９２のように発生しているＵＥＰ(以下、本実施の形態で「第１のＵＥＰ」とも表記)に対して逆モーメントとなるＵＥＰ(以下、本実施の形態で「第２のＵＥＰ」とも表記)を発生させて、船舶７０の周囲のＵＥＰを低減するものである。
【００２６】
ＵＥＰ低減装置は、第１及び第２の電極１０,１１と、電源１４とを備える。第１及び第２の電極１０,１１は、好ましくは白金等の不溶性電極であり、船舶７０の船底(船体のうち海水８０に浸漬される部分の例示)に取り付けられている。第１の電極１０は不溶性陽極２４の近傍にあり、第２の電極１１は不溶性陰極２５の近傍にある。電源１４は、第１及び第２の電極１０,１１を接続する経路に設けられる。ここで、第１の電極１０を陰極(低電位：例えば船体と同電位)とし、第２の電極１１を陽極(高電位)とする。これにより、第２の電極１１から第１の電極１０に向かって電流を流し、矢印９３のように第２のＵＥＰを発生させる。
【００２７】
この結果、第１及び第２のＵＥＰが相殺し、外部電源方式の船舶７０の周囲のＵＥＰを低減することができる。それゆえ、ＵＥＰに感応する機雷等の設置された危険海域を船舶７０が触雷せずに安全に通過可能となることが期待される。
【００２８】
(第３の実施の形態)
図３は、本発明の第３の実施の形態に係る船舶のＵＥＰ低減装置の模式的底面図である。本実施の形態では、第１の実施の形態と同様に流電陽極方式で船体の腐食を防止するが、犠牲陽極の数が４つ(犠牲陽極２０〜２３)となっている。また、第１及び第２の電極は２つずつ(第１の電極１０,１２、第２の電極１１,１３)となっている。そして犠牲陽極２０,２２(プロペラ７１からの距離が大きい犠牲陽極)の腐食が顕著に大きい場合、陰極となる第１の電極１０,１２を犠牲陽極２０,２２の近傍に取り付け、第１の電極１０,１２と対をなす陽極となる第２の電極１１,１３をプロペラ７１(腐食電流の流入箇所)の近傍に取り付け、ＵＥＰ逆モーメントとなるように第２の電極１１,１３から第１の電極１０,１２に向かって電流を流す。これにより、船舶７０の周囲のＵＥＰを低減することができる。
【００２９】
(第４の実施の形態)
図４は、本発明の第４の実施の形態に係る船舶のＵＥＰ低減装置の模式的側面図である。本実施の形態では、第１の実施の形態の構成に加え、船底にＵＥＰセンサ３０(ここでは２つ)を取り付け、ＵＥＰセンサ３０の検出結果(船舶７０の周囲のＵＥＰ)を監視部４０により常時監視しながら、それが最小の値となるように電源１４からの供給電圧又は供給電流を監視部４０により制御する。つまり、監視部４０から電源１４に制御信号を与え、ＵＥＰセンサ３０の検出結果が最小の値となるように自動通電する。さらに、監視部４０は、船舶７０の周囲のＵＥＰ分布を定量的に表示する表示部４１を有し、船内にて常時監視できるようにしている。
【００３０】
監視部４０による上記の制御は、例えば、船体の状態及び海中環境をパラメータとし、電気映像法を用いて実行される。又は、船体の状態及び海中環境をパラメータとし、境界要素法若しくは有限要素法を用いて実行される。船体の状態とは船体表面の塗装状態や船舶の移動速度をいい、海中環境とは塩分濃度や潮流の速度をいう。なお、監視部４０はコンピュータとソフトウェアの組合せにて実現される。
【００３１】
本実施の形態によれば、ＵＥＰセンサ３０と監視部４０を用いたフィードバック制御により、船舶７０の周囲のＵＥＰをより効果的に低減することが可能となる。
【００３２】
以上、実施の形態を例に本発明を説明したが、実施の形態の各構成要素や各処理プロセスには請求項に記載の範囲で種々の変形が可能であることは当業者に理解されるところである。以下、変形例について触れる。
【００３３】
各実施の形態では船体の腐食防止対策を講じる場合を例にＵＥＰを低減したが、変形例では船体の腐食防止対策を講じない場合にＵＥＰを低減してもよい。
【００３４】
なお、各実施の形態において、船体自体が一部の電極を兼ねる構成としてもよい。
【００３５】
第４の実施の形態では流電陽極方式で船体の腐食を防止する場合を例にフィードバック制御を適用したが、変形例では外部電源方式で船体の腐食を防止する場合や船体の腐食防止対策を講じない場合にフィードバック制御を適用してもよい。
【符号の説明】
【００３６】
１０,１２  第１の電極
１１,１３  第２の電極
１４  電源
２０〜２３  犠牲陽極
２４  不溶性陽極
２５  不溶性陰極
３０  ＵＥＰセンサ
４０  監視部
４１  表示部
７０  船舶
７１  プロペラ
８０  海水
９０,９２  第１のＵＥＰ
９１,９３  第２のＵＥＰ
【図１】
2011088542.tif 000003
【図２】
2011088542.tif 000004
【図３】
2011088542.tif 000005
【図４】
2011088542.tif 000006